(57)【要約】【課題】蛇口を開けるだけで室内配管からの緊急用水の給水がスムーズに行え、手軽で、使い勝手が良く、簡易加圧器は、電源を必要としない自転車や自動車等の空気入れでも利用可能で、災害時でも確実に探し出せて、使用でき、どのような簡易加圧器でも利用でき、構成が簡素で、量産に適し、低廉で、経済的で、一般家庭で採用し易く、災害時に安心して対応できる災害用給水装置を提供する。【解決手段】給水管路に貯水タンク１を介装させ、給水管１０に逆止弁１１を介装すると共に、逆止弁１１と貯水タンク１の間に加圧器接続機構Ａを設け、加圧器接続機構Ａは、給水管１０に接続する開閉バルブ２０と、開閉バルブ２０の加圧口ソケット２２に接続自在な変換ソケット２５とを備え、変換ソケット２５の先端部分には、空気入れ３０等の簡易加圧器の接続ノズル３１が接続可能なノズル接続部２７を形成する。【選択図】図１
0003120282.tif 000002
【実用新案登録請求の範囲】
【請求項１】
災害等で水道水の供給が停止した場合に、貯水タンク内に備蓄状態となっている水を緊急用水として利用できるようにした一般家庭向けの災害用給水装置であって、水道水の給水管路に貯水タンクを介装させ、貯水タンクに接続される給水管に逆止弁を介装させると共に、この逆止弁と貯水タンクの間に加圧器接続機構を設けて構成され、この加圧器接続機構は、給水管に接続される開閉バルブと、この開閉バルブの加圧口ソケットに接続自在な変換ソケットとを備え、変換ソケットの先端部分には、空気入れ等の簡易加圧器の接続ノズルが接続可能なノズル接続部を形成したことを特徴とする一般家庭向け災害用給水装置。
【請求項２】
災害等で水道水の供給が停止した場合に、貯水タンク内に備蓄状態となっている水を緊急用水として利用できるようにした一般家庭向けの災害用給水装置であって、上水本管等に連結される給水管と、家庭の室内配管等に連結される供給管とが、その底部に接続される貯水タンクを設け、給水管の貯水タンク寄りに逆止弁を介装させ、この逆止弁と貯水タンクの間の給水管に加圧器接続機構を設け、貯水タンクの上部には、エアー抜きバルブと圧力ゲージを設け、エアー抜きバルブ先端には自動エアー抜き弁を接続し、貯水タンクの底部或いは供給管には、蛇口を設け、貯水タンク内には、内部の水が全体的に移動するような整流板を配し、前記加圧器接続機構は、給水管に接続される開閉バルブと、この開閉バルブの加圧口ソケットに接続自在な変換ソケットとを備え、変換ソケットの先端部分には、空気入れ等の簡易加圧器の接続ノズルが接続可能なノズル接続部を形成し、災害等で水道水の供給が停止した時に、空気入れ等の簡易加圧器の接続ノズルをノズル接続部に接続すると共に、簡易加圧器を作動せしめて貯水タンク内に加圧エアーを送り込むことにより、家庭内の室内配管からの給水が可能となるように構成したことを特徴とする一般家庭向け災害用給水装置。
【考案の詳細な説明】
【技術分野】
【０００１】
本考案は、主に、一般家庭に於いて、災害等で水道水の供給が停止した場合に、常時備蓄状態としておいた水を緊急用水として利用できるようにすると共に、この緊急用水を通常時の如く家庭内の室内配管からスムーズに給水できるように工夫した一般家庭向け災害用給水装置に関するものである。
【背景技術】
【０００２】
従来、この種の災害用給水装置としては、例えば、特許文献１に示すような循環備蓄貯水槽が開示されている。
そして、この循環備蓄貯水槽は、水道配管に保温された密閉水槽を設け、通常は密閉水槽の下から水を供給し、上から取水することにより循環して使用し、断水時に逆止弁が閉じ、備蓄された新鮮な飲料水は止め弁を開け、取水口から取出すことにより、密閉水槽上部に設けた浮子式気弁が開き、取水できるように構成されたものである。
また、この他にも同様な多数の災害用給水装置が提案されている。
【０００３】
【特許文献１】実用新案登録第３０１７９９１号
【考案の開示】
【考案が解決しようとする課題】
【０００４】
しかしながら、前述の如き口循環備蓄貯水槽や他の災害用給水装置にあっては、密閉水槽に備蓄された飲料水を、単に取水口等から取出せるように構成してあるだけで、密閉水槽の設置してあるところまで移動して、取水口を開いて適宜容器に水を入れる動作を何回も繰り返さなければならず、使い勝手が悪い難点等があった。
【０００５】
そこで、本考案は、前述の如き難点等を解消できるようにして、常時備蓄状態としておいた緊急用水を、誰でも手軽に行える簡単な操作によって、通常時の如く家庭内の室内配管からスムーズに給水できるようにし、しかも、構成が簡素で、量産に適し、比較的低廉で、経済的な一般家庭向け災害用給水装置を提供できるようにすべく案出されたものである。
【課題を解決するための手段】
【０００６】
しかして、請求項１記載の災害用給水装置にあっては、災害等で水道水の供給が停止した場合に、貯水タンク１内に備蓄状態となっている水を緊急用水として利用できるようにした一般家庭向けの災害用給水装置であって、水道水の給水管路に貯水タンク１を介装させ、貯水タンク１に接続される給水管１０に逆止弁１１を介装させると共に、この逆止弁１１と貯水タンク１の間に加圧器接続機構Ａを設けて構成され、この加圧器接続機構Ａは、給水管１０に接続される開閉バルブ２０と、この開閉バルブ２０の加圧口ソケット２２に接続自在な変換ソケット２５とを備え、変換ソケット２５の先端部分には、空気入れ３０等の簡易加圧器の接続ノズル３１が接続可能なノズル接続部２７を形成する手段を採用した。
【０００７】
また、請求項２記載の災害用給水装置にあっては、災害等で水道水の供給が停止した場合に、貯水タンク１内に備蓄状態となっている水を緊急用水として利用できるようにした一般家庭向けの災害用給水装置であって、上水本管等に連結される給水管１０と、家庭の室内配管等に連結される供給管１３とが、その底部に接続される貯水タンク１を設け、給水管１０の貯水タンク１寄りに逆止弁１１を介装させ、この逆止弁１１と貯水タンク１の間の給水管１０に加圧器接続機構Ａを設け、貯水タンク１の上部には、エアー抜きバルブ６と圧力ゲージ７を設け、エアー抜きバルブ６先端には自動エアー抜き弁８を接続し、貯水タンク１の底部或いは供給管１３には、蛇口１２を設け、貯水タンク１内には、内部の水が全体的に移動するような整流板５を配し、前記加圧器接続機構Ａは、給水管１０に接続される開閉バルブ２０と、この開閉バルブ２０の加圧口ソケット２２に接続自在な変換ソケット２５とを備え、変換ソケット２５の先端部分には、空気入れ３０等の簡易加圧器の接続ノズル３１が接続可能なノズル接続部２７を形成し、災害等で水道水の供給が停止した時に、空気入れ３０等の簡易加圧器の接続ノズル３１をノズル接続部２７に接続すると共に、簡易加圧器を作動せしめて貯水タンク１内に加圧エアーを送り込むことにより、家庭内の室内配管からの給水が可能となるように構成する手段を採用した。
【考案の効果】
【０００８】
従って、請求項１記載の災害用給水装置によれば、加圧器接続機構Ａの変換ソケット２５の先端部分に形成したノズル接続部２７に、空気入れ３０等の簡易加圧器の接続ノズル３１を容易に且つ確実に接続でき、簡易加圧器を作動せしめることで、貯水タンク１内に加圧エアーを確実に且つスムーズに送り込め、この貯水タンク１内の加圧エアーの圧力によって、家庭内の蛇口を開けるだけで、室内配管からの給水がスムーズに行えるようになる。すなわち、誰でも手軽に行える簡単な操作によって、室内配管からの給水がスムーズに行える使い勝手の良い一般家庭向け災害用給水装置となる。
特に、簡易加圧器は、電源を必要としない自転車や自動車等の空気入れ３０でも利用可能で、災害時でも確実に探し出せて、使用することができるものとなる。
加えて、加圧器接続機構Ａには、変換ソケット２５を設けてあるので、どのようなタイプの接続ノズル３１を備えた簡易加圧器であっても利用できるようになる。
しかも、災害用給水装置自体や加圧器接続機構Ａ自体の構成が簡素となり、量産に適し、比較的低廉で、経済的で、一般家庭で採用し易く、災害時に安心して対応できるようになる。
【０００９】
また、請求項２記載の災害用給水装置によれば、加圧器接続機構Ａの変換ソケット２５の先端部分に形成したノズル接続部２７に、空気入れ３０等の簡易加圧器の接続ノズル３１を容易に且つ確実に接続でき、簡易加圧器を作動せしめることで、貯水タンク１内に加圧エアーを確実に且つスムーズに送り込め、この貯水タンク１内の加圧エアーの圧力によって、家庭内の蛇口を開けるだけで、貯水タンク１内の緊急用水を、家庭内の室内配管からスムーズに給水できるようになる。すなわち、誰でも手軽に行える簡単な操作によって、室内配管からの給水がスムーズに行える使い勝手の良い一般家庭向け災害用給水装置となる。
特に、簡易加圧器は、電源を必要としない自転車や自動車等の空気入れ３０でも利用可能で、災害時でも確実に探し出せて、使用することができるものとなる。
更に、加圧器接続機構Ａには、変換ソケット２５を設けてあるので、どのようなタイプの接続ノズル３１を備えた簡易加圧器であっても利用できるようになる。
しかも、災害用給水装置自体や加圧器接続機構Ａ自体の構成が簡素となり、量産に適し、比較的低廉で、経済的で、一般家庭で採用し易く、災害時に安心して対応できるようになる。
加えて、圧力ゲージ７により、貯水タンク１内の圧力を表示できるようになり、空気入れ３０等の簡易加圧器で貯水タンク１内に加圧エアーを送り込む際、その送り込み状態を容易に監視できて、貯水タンク１の変形や損傷等を確実に防止できるようになる。
そして、自動エアー抜き弁８により、通常時に、貯水タンク１内上部にエアーが溜まっている状態をセンサーが検知したときに、自動的に開いてこのエアーを排気できるようになる。
【考案を実施するための最良の形態】
【００１０】
以下、本考案を図示例に基づいて説明すると、次の通りである。
本考案は、例えば、災害等で（天災による水道設備の故障や、渇水や、事故による水道設備の故障等で）水道水の供給が停止した場合に於いて、常時貯水タンク１内に備蓄状態となっている水を緊急用水として利用できるようにすると共に、自転車や自動車のタイヤの空気入れ３０等の簡易加圧器を利用することで、家庭内の室内配管から貯水タンク１内の緊急用水をスムーズに給水できるようにしたものである。
具体的には、水道水の給水管路に貯水タンク１を介装させ、貯水タンク１に接続される給水管１０に逆止弁１１を介装させると共に、この逆止弁１１と貯水タンク１の間に加圧器接続機構Ａを設けて構成されたものである。
更に、この加圧器接続機構Ａは、給水管１０に接続される開閉バルブ２０と、この開閉バルブ２０の加圧口ソケット２２に接続自在な変換ソケット２５とを備え、変換ソケット２５の先端部分には、空気入れ３０等の簡易加圧器の接続ノズル３１が接続可能なノズル接続部２７を形成したものである。
すなわち、簡易加圧器は、電源を必要としない自転車や自動主等の空気入れ３０でも利用可能で、しかも、変換ソケット２５により、どのようなタイプの接続ノズル３１を備えた簡易加圧器であっても利用できるように構成されたものである。
【００１１】
また、災害用給水装置は、上水本管等に連結される給水管１０と、家庭の室内配管等に連結される供給管１３とが、その底部に接続される貯水タンク１を設け、給水管１０の貯水タンク１寄りに逆止弁１１を介装させ、この逆止弁１１と貯水タンク１の間の給水管１０に加圧器接続機構Ａを設け、貯水タンク１の上部には、エアー抜きバルブ６と圧力ゲージ７を設け、エアー抜きバルブ６先端には自動エアー抜き弁８を接続し、貯水タンク１の底部或いは供給管１３には、蛇口１２を設け、貯水タンク１内には、内部の水が全体的に移動するような整流板５を配して構成されている。
更に、加圧器接続機構Ａは、災害等で水道水の供給が停止した時に、空気入れ３０等の簡易加圧器の接続ノズル３１をノズル接続部２７に接続すると共に、簡易加圧器を作動せしめて貯水タンク１内に加圧エアーを送り込むことにより、貯水タンク１内の緊急用水を家庭内の室内配管から給水できるように構成されている。
【実施例】
【００１２】
前記貯水タンク１は、例えば、ステンレスの如き耐蝕性の優れた適宜金属板材（或いは、複合材でも良い）によって略中空円柱状に構成されており、略円板状の底板２と、略円筒状の周胴板３と、略円板状の天板４とからなり、この貯水タンク１内中央部分には整流板５が配されている。
しかも、貯水タンク１は、例えば、９５リットル程度の容積を有し、五人家族が１週間以上生活できる程度の容量を備えたものが好ましい。
また、天板４は、ボルト等によって取外し可能に周胴板３に固定されており、定期的な内部清掃等が容易に行えるように形成されている。
【００１３】
前記整流板５は、例えば、周胴板３の内周面に設けた一対の縦溝部分に上方から差込み装着することによって、取外し可能に装着されているもので、貯水タンク１内の水道水が、その給水及び排水時に滞留することが無く全体的に移動するように設けられたものである。
尚、整流板５は、取外し可能に装着することにより、貯水タンク１内の定期的な清掃作業等が行い易くなっている。
また、整流板５は、貯水タンク１内を完全に仕切るものではなく、ある程度の水の通過が可能となるように装着されている。すなわち、災害時に貯水タンク１内の全ての緊急用水を使用できるように、取水口部分の水が整流板５を乗り越えなくても排水口がわに移動できるようになっている。
【００１４】
前記エアー抜きバルブ６は、例えば、貯水タンク１の天板４中央部分の上方に配され、貯水タンク１内にエアーが溜まった時にこれを排気すべく手動で開閉できるようにしたものである。
【００１５】
前記圧力ゲージ７は、例えば、天板４上方に配され、貯水タンク１内の圧力を表示できるように設けられたもので、空気入れ３０等の簡易加圧器で貯水タンク１内に加圧エアーを送り込む際、その送り込み状態を監視できて、貯水タンク１の変形や損傷等を確実に防止できるように設けられたものである。
【００１６】
前記自動エアー抜き弁８は、例えば、エアー抜きバルブ６の上方に連設されており、通常時に、貯水タンク１内上部にエアーが溜まっている状態をセンサーが検知したときに、自動的に開いてこのエアーを排気できるように設けられたものである。
【００１７】
前記給水管１０は、例えば、貯水タンク１の底板２（或いは、周胴板３の下部）に設けた取水口に接続されており、上水本管の水道水がスムーズに貯水タンク１内に供給できるように設けられている。
【００１８】
前記逆止弁１１は、例えば、給水管１０の貯水タンク１近傍に配されており、災害時に給水管１０からの給水が停止したときに、貯水タンク１内の水が給水管１０内に戻らないように設けられたものである。
【００１９】
前記蛇口１２は、例えば、貯水タンク１の底板２（或いは、周胴板３の下部）に設けたり、或いは、供給管１３に接続して設けたりされ、災害時に（或いは、通常時でも良い）貯水タンク１内の水を直接給水できるように設けられている。
【００２０】
前記供給管１３は、例えば、貯水タンク１の底板２（或いは、周胴板３の下部）に設けた排水口に接続されており、室内配管に貯水タンク１内の水をスムーズに供給できるように設けられている。
【００２１】
図中１５は、貯水タンク１を災害時でも安定的に支持できるようにした架台で、この架台１５は、例えば、地面等から離れた状態で貯水タンク１を支持し、加圧器接続機構Ａや蛇口１２を地面等から離れた位置に配置できるようにすると共に、これらを操作し易くなるように設けられたものである。
【００２２】
前記加圧器接続機構Ａの開閉バルブ２０は、例えば、逆止弁１１と貯水タンク１の取水口との間の給水管１０に連結され、その内部にはエアー及び水が変換ソケット２５がわに戻らないような逆止弁が内蔵されている。また、開閉バルブ２０は、上方のコック２１の操作によって開閉するもので、その先端部分には、雌ネジが螺刻されている加圧口ソケット２２が設けられている。
【００２３】
前記加圧器接続機構Ａの変換ソケット２５は、例えば、開閉バルブ２０の加圧口ソケット２２に螺着可能な雄ネジが螺刻されているソケット接続部２６を基端部に有し、その先端部には空気入れ３０等の簡易加圧器の接続ノズル３１に螺合するような雄ネジが螺刻されているノズル接続部２７が設けられている。ところで、ノズル接続部２７は、簡易加圧器の接続ノズル３１に適合するように形成されている。
【００２４】
尚、図中２８は、例えば、前記ノズル接続部２７を覆うように着脱自在に嵌着されるキャップで、このキャップ２８は、通常時にノズル接続部２７を衛生的に保護するもので、災害時には、接続ノズル３１をノズル接続部２７に装着すべく取外されるものである。
【００２５】
前記簡易加圧器は、例えば、自転車や自動車のタイヤに空気を入れるための空気入れ３０等が利用され、ホース３２の先端に適宜接続ノズル３１が接続されている。尚、空気入れ３０は、手動式のものでも良いし、電動式のものでも良い。
【００２６】
ところで、災害用給水装置の具体的構成、形状、寸法、材質、貯水タンク１の具体的構成、形状、寸法、材質、底板２の具体的構成、形状、寸法、材質、周胴板３の具体的構成、形状、寸法、材質、天板４の具体的構成、形状、寸法、材質、整流板５の具体的構成、形状、寸法、材質、配設位置、数、エアー抜きバルブ６の具体的構成、形状、寸法、材質、配設位置、圧力ゲージ７の具体的構成、形状、寸法、配設位置、自動エアー抜き弁８の具体的構成、形状、寸法、配設位置、給水管１０の具体的構成、形状、寸法、材質、配設位置、逆止弁１１の具体的構成、形状、寸法、材質、配設位置、蛇口１２の具体的構成、形状、寸法、材質、配設位置、供給管１３の具体的構成、形状、寸法、材質、配設位置、架台１５の具体的構成、形状、寸法、材質、加圧器接続機構Ａの具体的構成、配設位置、開閉バルブ２０の具体的構成、形状、寸法、材質、配設位置、コック２１の具体的構成、形状、寸法、材質、配設位置、加圧口ソケット２２の具体的構成、形状、寸法、配設位置、変換ソケット２５の具体的構成、形状、寸法、材質、ソケット接続部２６の具体的構成、形状、寸法、ノズル接続部２７の具体的構成、形状、寸法、簡易加圧器の具体的構成、空気入れ３０の具体的構成、形状、寸法、接続ノズル３１の具体的構成、形状、寸法、材質、ホース３２の具体的構成、形状、寸法等は、図示例のもの等に限定されることなく、適宜自由に設定、変更できるものである。
【００２７】
本考案の災害用給水装置は前述の如く構成されており、次にその使用例について説明すると、先ず、災害等で水道水の供給が停止すると、ノズル接続部２７からキャップ２８を取外して、簡易加圧器の接続ノズル３１を接続する。このとき、エアー抜きバルブ６は閉じておく。そして、簡易加圧器を作動させて加圧エアーを貯水タンク１内に送り込む。このとき、圧力ゲージ７によって貯水タンク１内の加圧エアーの圧力が所定圧力（例えば、通常上水本管から給水管１０内に送られる水道水の圧力程度）を超えないように確認する。
以上の状態で準備が完了し、家庭内の蛇口を開くと、貯水タンク１内の加圧エアーの圧力により供給管１３及び室内配管を介して貯水タンク１内の緊急用水が給水される。
それから、給水により貯水タンク１内の加圧エアーの圧力が低下した時は、簡易加圧器を作動させて加圧エアーを貯水タンク１内に繰返し送り込むようにする。
【図面の簡単な説明】
【００２８】
【図１】本考案の災害用給水装置を例示する概略図である。
【図２】本考案の災害用給水装置の加圧器接続機構部分を例示する概略正面図である。
【符号の説明】
【００２９】
１      貯水タンク
２      底板
３      周胴板
４      天板
５      整流板
６      エアー抜きバルブ
７      圧力ゲージ
８      自動エアー抜き弁
１０    給水管
１１    逆止弁
１２    蛇口
１３    供給管
１５    架台
Ａ      加圧器接続機構
２０    開閉バルブ
２１    コック
２２    加圧口ソケット
２５    変換ソケット
２６    ソケット接続部
２７    ノズル接続部
２８    キャップ
３０    空気入れ
３１    接続ノズル
３２    ホース
【図１】
0003120282.tif 000003
【図２】
0003120282.tif 000004